【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
無線通信デバイスの送信電力を調整する方法であって、
前記無線通信デバイスと受信無線通信デバイスとの間で無線通信の要求を決定するステップと、
前記無線通信の要求を調整しなくても前記無線通信の現在の送信電力レベルが低くなり得るか否かを決定するステップと、
前記無線通信の要求を調整しなくても前記現在の送信電力レベルが低くなり得る場合、前記現在の送信電力レベルを第２の送信電力レベルに調整するステップとを有し、ここで、前記第２の送信電力レベルは、前記現在の送信電力レベルよりも低いレベルに設定されていることを特徴とする、無線通信デバイスの送信電力を調整する方法。
【請求項２】
前記方法が、さらに、
前記無線通信の要求を調整しないと、前記現在の送信電力レベルが低くなり得ない場合、前記無線通信の要求の少なくとも１つが、前記無線通信の調整可能な要求を実現すべく調整され得るか否かを決定するステップと、
前記無線通信の要求を調整しなくても前記現在の送信電力レベルが低くなり得る場合、前記無線通信の前記現在の送信電力レベルが、前記無線通信の調整可能な要求に基づいて低くなり得るか否かを決定するステップとを有し、
前記方法が、さらに、
前記現在の送信電力レベルが、前記無線通信の調整可能な要求に基づいて低くなり得る場合、
前記現在の送信電力レベルを第３の送信電力レベルに調整するステップであって、前記第３の送信電力レベルは、前記現在の送信電力レベルよりも低いレベルに設定されているステップと、
前記無線通信の調整可能な要求を実現すべく前記無線通信の要求の少なくとも１つを調整するステップとを有する請求項１記載の方法。
【請求項３】
前記現在の送信電力レベルを調整するステップが、
前記無線通信の要求を調整しなくても前記現在の送信電力レベルが最小の送信電力レベルに調整され得るか否かを決定する段階と、
前記無線通信の要求を調整しなくても前記現在の送信電力レベルが前記最小の送信電力レベルに調整され得る場合、前記現在の送信電力レベルを、前記第２の送信電力レベルとして設定される前記最小の送信電力レベルに調整する段階とを有する請求項１記載の方法。
【請求項４】
前記方法が、さらに、
前記無線通信の要求を調整しないと、前記現在の送信電力レベルが最小の送信電力レベルに調整され得ない場合、前記無線通信の要求を調整しなくても前記現在の送信電力レベルが調整され得るような所定の送信電力レベルを決定するステップと、
前記所定の送信電力レベルが、前記無線通信のサービスに関する所望の品質を提供するか否かを決定するステップと、
前記所定の送信電力レベルが、前記無線通信のサービスに関する所望の品質を提供する場合、前記現在の送信電力レベルを前記所定の送信電力レベルに調整するステップとを有する請求項３記載の方法。
【請求項５】
前記方法が、さらに、
前記所定の送信電力レベルが、前記無線通信のサービスに関する所望の品質を提供しない場合、調整された無線通信を実現すべく前記無線通信の少なくとも１つの要求を調整するステップと、
前記調整された無線通信の要求をさらに調整しなくても前記所定の送信電力レベルが前記最小の送信レベルに調整され得るか否かを決定するステップと、
前記調整された無線通信の要求をさらに調整しなくても前記所定の送信電力レベルが前記最小の送信レベルに調整され得る場合、前記現在の送信電力レベルを、前記第２の送信電力レベルとして設定される前記最小の送信電力レベルに調整するステップと、
前記調整された無線通信の要求をさらに調整しないと、前記所定の送信電力レベルが前記最小の送信レベルに調整され得ない場合、前記調整された無線通信の要求をさらに調整しなくても前記現在の送信電力レベルが調整され得るような第２の送信電力レベルを決定するステップと、
前記第２の送信電力レベルが、前記調整された無線通信のサービスに関する所望の品質を提供するか否かを決定するステップと、
前記第２の送信電力レベルが、前記無線通信のサービスに関する所望の品質を提供する場合、前記現在の送信電力レベルを前記第２の送信電力レベルに調整するステップとを有する請求項４記載の方法。
【請求項６】
前記無線通信の要求が、
帯域幅と、
データ速度と、
信号対雑音比と、
隣接するチャネルの干渉との中の少なくとも１つを含む請求項１から５のいずれか一項に記載の方法。
【請求項７】
前記無線通信の要求を調整しなくても前記無線通信の前記現在の送信電力レベルが低くなり得るか否かを決定するステップが、
前記無線通信のサービスに関する最低限度の所望の品質を決定する段階であって、前記無線通信のサービスに関する前記最低限度の所望の品質は、信号対雑音比、隣接するチャネルの干渉、データスループットおよび帯域幅割り当ての少なくとも１つを含む段階と、
前記現在の送信電力レベルに基づいて、前記無線通信のサービスに関する現在の品質を決定する段階と、
前記無線通信のサービスに関する前記最低限度の所望の品質と、前記無線通信のサービスに関する前記現在の品質とを比較する段階と、
前記無線通信のサービスに関する前記最低限度の所望の品質と、前記無線通信のサービスに関する前記現在の品質との比較の結果が好適である場合、前記無線通信の要求を調整しなくても前記無線通信の前記現在の送信電力レベルが低くなり得ることを表示する段階とを有する請求項１から６のいずれか一項に記載の方法。
【請求項８】
前記方法が、さらに、
第１のチャネル上における前記無線通信に対する電力増幅器の送信電力レベルと、第２のチャネル上における第２の無線通信の送信電力レベルとを足し合わせた合計の送信電力レベルが、受け入れられないか否かを決定するステップと、
前記合計の送信電力レベルが受け入れられない場合、前記無線通信の要求および前記第２の無線通信の要求を調整しなくても前記合計の送信電力レベルが低くなり得るか否かを決定するステップと、
前記無線通信の要求および前記第２の無線通信の要求を調整しなくても前記合計の送信電力レベルが低くなり得る場合、前記合計の送信電力レベルを減少させるステップとを有する請求項１から７のいずれか一項に記載の方法。
【請求項９】
前記方法が、さらに、
第１のチャネル上における前記無線通信の現在の送信電力レベル、および第２のチャネル上における第２の無線通信の第２の現在の送信電力レベルが、隣接するチャネルの干渉または合計の送信電力に関して受け入れられないレベルを生成するか否かを決定するステップと、
合計の送信電力に関して受け入れられないレベル、または隣接するチャネルの干渉に関して受け入れられないレベルが決定された場合、前記第２の無線通信の要求を調整しなくても前記第２の無線通信の前記第２の現在の送信電力レベルが低くなり得るか否かを決定するステップと、
前記第２の無線通信の要求を調整しなくても前記第２の無線通信の前記第２の現在の送信電力レベルが低くなり得る場合、前記第２の現在の送信電力レベルを第３の送信電力レベルに調整するステップとを有し、ここで、前記第３の送信電力レベルは、前記第２の現在の送信電力レベルよりも低いレベルに設定されている請求項１から８のいずれか一項に記載の方法。
【請求項１０】
発信データを発信ベースバンド信号に変換すべく作用的に接続された処理モジュールと、
前記発信ベースバンド信号を発信無線周波（RF）信号に変換すべく作用的に接続された送信機部とを備え、
前記処理モジュールは、さらに、請求項１から９のいずれか一項に記載の方法を実施すべく作用的に接続されていることを特徴とする無線送信機。
【手続補正２】
【補正対象書類名】明細書
【補正対象項目名】発明の名称
【補正方法】変更
【補正の内容】
【発明の名称】無線通信デバイスの送信電力を調整する方法、および無線送信機
【手続補正３】
【補正対象書類名】明細書
【補正対象項目名】００１７
【補正方法】変更
【補正の内容】
【００１７】
図６に関してかなり詳細に記述されるRFモジュール14、16は発信信号30、46を受信すると共に、当該信号から発信RF信号32、48を生成する。単一チャネル通信に対してRFモジュール14、16は、（例えば、単一アンテナ、ダイバーシティ・アンテナ構造等の）アンテナ構造を介して単一チャネル上でRF信号32、48を送信する。多重チャネル通信に対し、RFモジュール14、16は、複数のアンテナを用いて複数のチャネルを介してRF信号32、48を送信する。それゆえに、一実施例において、RFモジュール14および16は、N個の規格化RF送信機を含む。
【手続補正４】
【補正対象書類名】明細書
【補正対象項目名】００１８
【補正方法】変更
【補正の内容】
【００１８】
着信RF信号32、48に対し、図１０に関してかなり詳細に記述されるRFモジュール14、16は、着信RF信号32、48を受信すると共に当該信号から着信信号36、50を生成する。単一チャネル通信に対してRFモジュール14、16は、（例えば、単一アンテナ、ダイバーシティ・アンテナ構造等の）アンテナ構造を介して単一チャネル上でRF信号32、48を受信する。多重チャネル通信に対してRFモジュール14、16は、複数のアンテナを用いて複数のチャネルを介してRF信号32、48を受信する。それゆえに、一実施例において、RFモジュール14および16は、N個の規格化RF受信機を含む。
【手続補正５】
【補正対象書類名】図面
【補正対象項目名】図９
【補正方法】変更
【補正の内容】
【図９】
2006345535.tif 000001